(57)【要約】【課題】振動・騒音を抑えることができるとともに、誘起電圧の歪みを低減できる同期電動機の固定子を提供する。【解決手段】この発明に係る同期電動機の固定子は、電磁鋼板を積層して形成される固定子鉄心１０と、固定子鉄心１０に巻回され、電流が通電される巻線とを備えた同期電動機の固定子において、固定子鉄心１０は、同期電動機の固定子内部で回転する回転子に向かって突出する複数の歯部１と、歯部１の一部を形成し、回転子に対向する回転子対向部１ａと、回転子対向部１ａの内部に設けられ、周方向中央部から周方向両端部に向かって体積が徐々に大きくなる非磁性空間２とを備えたことを特徴とする。【選択図】図２
2010068595.tif 000002
【特許請求の範囲】
【請求項１】
電磁鋼板を積層して形成される固定子鉄心と、前記固定子鉄心に巻回され、電流が通電される巻線とを備えた同期電動機の固定子において、
前記固定子鉄心は、
当該同期電動機の固定子内部で回転する回転子に向かって突出する複数の歯部と、
前記歯部の一部を形成し、前記回転子に対向する回転子対向部と、
前記回転子対向部の内部に設けられ、周方向中央部から周方向両端部に向かって体積が徐々に大きくなる非磁性空間とを備えたことを特徴とする同期電動機の固定子。
【請求項２】
前記非磁性空間は、軸方向中央部から軸方向両端部に向かって体積が徐々に大きくなることを備えたことを特徴とする請求項１記載の同期電動機の固定子。
請求項１記載の同期電動機の固定子。
【請求項３】
前記非磁性空間が、軸方向両端において、前記歯部の前記回転子対向部の両端付近に集中することを特徴とする請求項２記載の同期電動機の固定子。
【請求項４】
前記非磁性空間が、前記歯部の前記回転子対向部の軸方向両端において、周方向片側に集中して存在し、且つ前記軸方向両端部において集中する周方向の位置が異なることを特徴とする請求項２記載の同期電動機の固定子。
【請求項５】
前記非磁性空間は、軸方向両端部から軸方向中央部に向かって体積が徐々に大きくなることを備えたことを特徴とする請求項１記載の同期電動機の固定子。
【請求項６】
前記非磁性空間が、軸方向中央部において、前記歯部の前記回転子対向部の両端付近に集中することを特徴とする請求項５記載の同期電動機の固定子。
【請求項７】
前記非磁性空間が、前記歯部の前記回転子対向部の軸方向中央部から軸方向端部において、周方向片側に集中して存在し、且つ前記軸方向中央部から軸方向端部において集中する周方向の位置が異なることを特徴とする請求項５記載の同期電動機の固定子。
【請求項８】
前記非磁性空間を、軸方向に階段状に変化させることを特徴とする請求項２乃至７のいずれかに記載の同期電動機の固定子。
【請求項９】
前記非磁性空間を、軸方向の長さの異なる複数の空間により構成することを特徴とする請求項２乃至７のいずれかに記載の同期電動機の固定子。
【発明の詳細な説明】
【技術分野】
【０００１】
この発明は、回転子に永久磁石を用いる同期電動機の固定子に関する。
【背景技術】
【０００２】
回転子に永久磁石を用いる同期電動機は、回転子に生じる磁束が固定子の巻線に鎖交し、これに対して外部より巻線に電流を通電することによって、回転子を回転させるトルクを発生する。回転子より発生し、固定子の巻線に鎖交する磁束の変化が緩やかでないと、同期電動機が出力するトルクに変動が生じ、同期電動機から振動や騒音が発生する。
【０００３】
また、一般的に固定子には、回転子の磁束をより巻線に鎖交させるため、磁束の通りやすい磁性体の材料を用いた固定子鉄心が用いられる。固定子の巻線は、固定子鉄心から回転子に向かって突出した歯部に巻回されることが多い。より巻線に磁束を鎖交させるために、隣り合う歯部の間には、スロット開口部が設けられることが多い。このとき、歯部の回転子対向部と開口部で磁気抵抗が異なるため、回転子より発生する磁束にアンバランスが生じ、コギングトルクが発生し、同期電動機の振動や騒音の要因となる。
【０００４】
この課題に対して、以下に示す技術の提案がなされている。即ち、回転子に対向する固定子歯部の一部に軸方向に貫く溝を設けて、擬似的な開口部とすることで、磁気的にアンバランスとなる部分の数を増やし、エネルギーを分散させ、コギングトルクを低減する回転電機が提案されている（例えば、特許文献１参照）。
【０００５】
また、固定子鉄心のティースに補助溝を有するモータにおいて、補助溝の幅が理想形状から多少外れた場合でもプレス金型等の形状の変更無くコギングトルクの低減を図ることを目的として、ティースの永久磁石と対向する位置に補助溝が設けられた固定子鉄心を積層して固定子を形成する永久磁石型モータにおいて、補助溝の溝幅をゼロを含めて固定子鉄心の積層方向の位置により変化させることによりコギングトルクを低減する永久磁石型モータが提案されている（例えば、特許文献２参照）。
【０００６】
また、閉スロットタイプの固定子鉄心を備えた永久磁石形モータにおいて、トルクリップルを小さくするために、固定子鉄心は、各ティースの回転子側の先端部に隣り合ったティース間を連結する連結部を有する閉スロットタイプであり、かつ、各ティースの先端部付近に、軸方向に延びる穴を２個ずつ設けた構成とする。ティースの先端部付近に形成した穴が、回転子の回転時において連結部を流れる鎖交磁束の磁気抵抗となり、連結部側へ磁束が流れ難くなり、連結部を流れる鎖交磁束の量の急激な変化が抑えられるようになる。これにより、ティース（固定子巻線部）に発生する誘起電圧波形にひずみが発生することが抑えられ、ひいてはトルクリップルが発生することを極力抑えることができる永久磁石形モータが提案されている（例えば、特許文献３参照）。
【０００７】
さらに、ステータコアに溝を設けることなくコギングトルクの小さいモータを安価に提供するために、ステータとしての積層厚みの１／２程度に積層したステータコアのティース部の片側先端部を加圧して磁気特性を劣化させる。同様に１／２程度積層したステータコアの他方先端部を加圧する。先端部を加圧した２つのステータコアを、先端部と先端部が点対称になるように積層すると磁気特性の劣化部が点対称となり、スキューと同様の効果が得られるモータが提案されている（例えば、特許文献４参照）。
【特許文献１】特開昭６２−７７８４０号公報
【特許文献２】特開２００６−２３０１１６号公報
【特許文献３】特開２００６−２８８０４３号公報
【特許文献４】特開２００５−１６８１５３号公報
【発明の開示】
【発明が解決しようとする課題】
【０００８】
しかしながら、上記特許文献１及び特許文献２のように、固定子の歯部の回転子対向部に軸方向に延びる溝を設けるのは、コギングトルクを低減する効果は得られるが、トルクリップルの原因となる誘起電圧の歪みを低減する効果は得られないという課題がある。
【０００９】
また、上記特許文献３に記載されている永久磁石形モータ（同期電動機）の場合、誘起電圧の歪みを低減することで、永久磁石形モータの振動・騒音を抑える効果を得ることができる。また、スロットの開口部が無いため、コギングトルクの発生が少なく、同様に永久磁石形モータの振動・騒音を抑える効果が期待できる。しかし、隣り合う歯部の先端を連結するため、回転子から生じる磁束がこの連結部で短絡して固定子の巻線に鎖交する量が減少し、永久磁石形モータの出力が低下するという課題がある。
【００１０】
また、上記特許文献４に記載されているモータ（同期電動機）の場合、固定子の歯部の回転子対向部にスキューと同等の効果が得られ、コギングトルクの低減，誘起電圧の歪み低減ができ、モータの振動・騒音を低減するという効果が得られるが、固定子鉄心の製造の際に、鉄心の一部に加圧を行い、磁気特性を劣化させる工程が必要となり、加工コストが増加するという課題がある。
【００１１】
この発明は、上記のような課題を解決するためになされるもので、振動・騒音を抑えることができるとともに、誘起電圧の歪みを低減できる同期電動機の固定子を提供することを目的とする。
【課題を解決するための手段】
【００１２】
この発明に係る同期電動機の固定子は、電磁鋼板を積層して形成される固定子鉄心と、前記固定子鉄心に巻回され、電流が通電される巻線とを備えた同期電動機の固定子において、
前記固定子鉄心は、
当該同期電動機の固定子内部で回転する回転子に向かって突出する複数の歯部と、
前記歯部の一部を形成し、前記回転子に対向する回転子対向部と、
前記回転子対向部の内部に設けられ、周方向中央部から周方向両端部に向かって体積が徐々に大きくなる非磁性空間とを備えたことを特徴とする。
【発明の効果】
【００１３】
この発明に係る同期電動機の固定子は、回転子対向部の内部に周方向中央部から周方向両端部に向かって体積が徐々に大きくなる非磁性空間を備えたことにより、回転子より固定子に鎖交する磁束の変化が緩やかになり、誘起電圧の歪みを抑え、トルク脈動を抑え、同期電動機の振動・騒音を抑えることができる。
【発明を実施するための最良の形態】
【００１４】
実施の形態１．
図１乃至図１０は実施の形態１を示す図で、図１は同期電動機の固定子鉄心１０の斜視図、図２は図１の歯部１を拡大した斜視図、図３は図１の歯部１の回転子対向部１ａを拡大した斜視図（ａ）とＡ〜Ｅ部の断面図（ｂ）、図４は変形例１の固定子鉄心１０の歯部１を拡大した斜視図、図５は図４の回転子対向部１ａを拡大した斜視図、図６は変形例２の固定子鉄心１０の歯部１を拡大した斜視図、図７は図６の歯部１の回転子対向部１ａを拡大した斜視図（ａ）とＡ〜Ｅ部の断面図（ｂ）、図８は図４に示す固定子鉄心１０を用いた同期電動機の誘起電圧を示す図、図９は同固定子鉄心１０を用いた同期電動機のコギングトルクを示す図、図１０は誘起電圧の周波数成分分析の結果を示す図である。
【００１５】
図１、図２を参照しながら、同期電動機の固定子鉄心１０の構成を説明する。同期電動機の固定子は、主に板厚が０．１〜１．５ｍｍの電磁鋼板を積層して形成される固定子鉄心１０と、電流を通電する巻線（図示せず）とにより構成される。
【００１６】
固定子鉄心１０は、固定子内部で回転する回転子（図示せず）に向かって突出する複数の歯部１を有する。図１の例では、６個の歯部１を有する。
【００１７】
歯部１の先端（内周面）に、回転子に対向する回転子対向部１ａを有する。回転子対向部１ａの内周面は、軸方向に直交する断面の形状が略円弧である。６個の回転子対向部１ａの内周面の円弧を結ぶと一つの円になる。
【００１８】
通常、回転子対向部１ａは、回転子からの磁束をより多く集めるために歯部１よりも周方向に幅広の形状である。
【００１９】
隣り合う歯部１の間のスロット３（空間）には巻線（図示せず）が挿入される。巻線は線径が太いほど抵抗が低くなり、通電時に巻線で発生する損失が少なくなるため、歯部１間のスロット３が大きくなるように、歯部１の幅（周方向）は回転子対向部１ａの幅（周方向）より小さくしている。隣り合う歯部１の間には、スロット開口部３ａが設けられる。
【００２０】
回転子対向部１ａの内部には、回転子からみて四隅に非磁性空間２を有する。非磁性空間２の形状は、回転子からみて略直角三角形である。
【００２１】
この非磁性空間２は、周方向の長さが回転子対向部１ａの軸方向中央部から軸方向両端部に向かって徐々に大きくなっている。非磁性空間２の径方向の寸法は全体が略同一であるので、非磁性空間２の体積は回転子対向部１ａの軸方向中央部から軸方向両端部に向かって徐々に大きくなる。別の言い方をすると、非磁性空間２の体積は回転子対向部１ａの周方向中央部から周方向両端部に向かって徐々に大きくなる。即ち、非磁性空間２は、回転子対向部１ａの軸方向両端部及び周方向両端部で最も大きな空間となる。これによって、回転子対向部１ａの磁性体（電磁鋼板）が多く存在する領域の形状は、回転子からみて略八角形〜六角形となる。
【００２２】
同期電動機の回転子が回転するとき、回転子の磁極に対向する固定子鉄心１０の回転子対向部１ａの面積は、非磁性空間２が無い固定子鉄心１０の場合には、回転子の回転角に比例して徐々に増加する。
【００２３】
これに対して、非磁性空間２を有する同期電動機の固定子鉄心１０では、回転子の回転角に対して、初めは回転子の磁極に対向する磁性体（電磁鋼板）が多く存在する領域の面積の増加が少なく、徐々に面積の増加が大きくなっていく。
【００２４】
固定子鉄心１０の回転子対向部１ａに非磁性空間２が無い場合、回転子の磁極より回転子対向部１ａに流入する磁束の変化は、回転子磁極の磁束分布に従って変化する。
【００２５】
例えばラジアル配向に着磁された回転子の場合、磁極間の磁束の変化は急であるため、固定子鉄心１０の回転子対向部１ａに流入する磁束の変化は、磁極の切り替わり付近で急に変化する。
【００２６】
また、永久磁石を磁性体内部に配置する回転子の場合には、永久磁石より発生する磁束は、永久磁石の外周部にある磁性体部分で向きを自由に変化させるため、この磁性体部分が、回転子の回転に従って固定子鉄心１０の回転子対向部１ａに対向したと同時に、磁束が急激に回転子対向部１ａへと集中するため、固定子鉄心１０の回転子対向部１ａに流入する磁束は急激に変動する。
【００２７】
これによって、固定子の巻線に生じる誘起電圧に歪みが生じ、同期電動機のトルク脈動が大きくなり、振動・騒音の要因となる。
【００２８】
本実施の形態による同期電動機の固定子鉄心１０は、回転子が回転するときに、固定子鉄心１０の回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【００２９】
通常、固定子鉄心１０は電磁鋼板を積層して構成することが多く、図２に示す固定子鉄心１０は、回転子対向部１ａにある非磁性空間２を構成するための電磁鋼板を打ち抜く穴の形状を、図３に示すように、積層する電磁鋼板ごとに徐々に変化させることで実現できる。
【００３０】
図３に示すように、積層される電磁鋼板の非磁性空間２を形成する穴２ａの形状は、軸方向端部（Ａ）で最も大きく、軸方向の中央部に向かって徐々に小さくなる（Ａ→Ｅ）。
【００３１】
しかし、この場合（図３）は、打ち抜く電磁鋼板の種類が多くなるため、大規模な金型、プレス設備が必要となる。
【００３２】
これに対して、例えば、図４に示す変形例１の固定子鉄心１０は、同一形状の電磁鋼板を複数枚連続して積層し、非磁性空間２の周方向長さを軸方向に対して階段状に変化させている。
【００３３】
そのため、図５に示すように、変形例１の固定子鉄心１０の電磁鋼板は、Ａ〜Ｅの５種類になる。
【００３４】
このようにすることで、非磁性空間２を構成するための電磁鋼板の種類を削減でき、金型、プレス設備の規模を縮小できる。
【００３５】
また、図６に示す変形例２の固定子鉄心１０のように、非磁性空間２を、軸方向に開けられる複数のスリット孔２ｂ，２ｃ，２ｄ，２ｅで構成してもよい。スリット孔２ｂ，２ｃ，２ｄ，２ｅを、「空間」と定義する。
【００３６】
スリット孔２ｂ，２ｃ，２ｄ，２ｅは、回転子対向部１ａの周方向の中央部付近から周方向両端に向かって順に形成される。軸方向の長さは、中央部付近のスリット孔２ｂが最も短く、周方向両端に向かって徐々に長くなりスリット孔２ｅが最も長くなっている。
【００３７】
図６のように構成することで、図２に示す非磁性空間２に近い効果が得られる。
【００３８】
図６に示す変形例２の固定子鉄心１０は、図７に示すように、軸方向の位置Ａ付近の電磁鋼板は、回転子対向部１ａにスリット孔２ｂ，２ｃ，２ｄ，２ｅを左右に略対称に有する。
【００３９】
また、軸方向の位置Ｂ付近の電磁鋼板は、回転子対向部１ａにスリット孔２ｃ，２ｄ，２ｅを左右に略対称に有する。
【００４０】
また、軸方向の位置Ｃ付近の電磁鋼板は、回転子対向部１ａにスリット孔２ｄ，２ｅを左右に略対称に有する。
【００４１】
また、軸方向の位置Ｄ付近の電磁鋼板は、回転子対向部１ａにスリット孔２ｅを左右に略対称に有する。
【００４２】
また、軸方向の位置Ｅ付近の電磁鋼板は、回転子対向部１ａにスリット孔が存在しない。
【００４３】
このように、非磁性空間２を構成するために電磁鋼板を打ち抜く穴（スリット孔）も、図７に示すようにその数を変更することで実現できることから、規模の小さい金型、プレス設備での製造が可能である。
【００４４】
本実施の形態に示すように、固定子鉄心１０の歯部１の回転子対向部１ａ内部に非磁性空間２を設けると、回転子対向部１ａの軸方向端部の外観形状は、非磁性空間２のない回転子対向部１ａの場合と同様となる。そのため、固定子鉄心１０と巻線との間の絶縁として、また巻線が回転子側に倒れ込むことを防止する巻き枠として用いられる樹脂で構成されるインシュレータを特殊な形状にする必要が無い。また、インシュレータの一部をこの非磁性空間２にはめ込むことで、強度を上げることも可能である。
【００４５】
また、回転子対向部１ａの内周面（回転子と対向する面）に溝を入れないため、固定子鉄心１０の内周面を円弧で構成でき、寸法の管理も容易となる。
【００４６】
また、例えば、本実施の形態の固定子鉄心１０を備える同期電動機を、電動機本体が冷媒や冷凍機油の中で使用される圧縮機などに用いる場合、回転子と固定子間の空隙がスロット開口部３ａ以外は均一となるため、回転子の回転による空隙間の冷媒や冷凍機油の流れに乱れが生じにくく、損失が生じにくい。
【００４７】
図８は図４に示す固定子鉄心１０を用いた同期電動機の誘起電圧波形を示したものである。比較のため、非磁性空間２を持たない固定子鉄心１０を用いた同期電動機の誘起電圧波形も同時に示している。回転子には、永久磁石を表面に配置した形態の回転子を用いた。永久磁石は、円筒状のもので、ラジアル配向されたものを多極に着磁した。スロット数は６、極数は４である。
【００４８】
固定子鉄心１０の回転子対向部１ａに非磁性空間２を持たない固定子を用いたときの誘起電圧に比べると、図４の固定子鉄心１０を用いた同期電動機の誘起電圧は、波形の歪みが少なくなっていることがわかる。
【００４９】
図１０は誘起電圧の波形を周波数分析した結果を示している。図８中の回転角１８０°を１周期（基本周波数）として、これに対して、整数倍の周波数成分がどの程度含まれるかを分析したものである。各周波数成分の基本周波数成分に対する割合を２乗したものの総和の平方根をとったものを全歪率（ＴＨＤ）としている。成分によっては、増加しているものも見られるが（７次成分、１１成分）、最も大きな成分である５次の成分が大きく低下しており、トータルとしての全歪率（ＴＨＤ）も低下しており、誘起電圧の歪みが低減されていることがわかる。
【００５０】
また、図９は図４に示す固定子鉄心１０を用いた同期電動機のコギングトルクの波形を示す。比較のため、非磁性空間２を持たない固定子鉄心１０を用いた同期電動機のコギングトルクの波形も同時に示している。スロット開口部３ａの形状が同じであるため、コギングトルクには増加の傾向は見られず、僅かではあるが低下していることがわかる。
【００５１】
以上のように、本実施の形態による同期電動機の固定子鉄心１０は、回転子対向部１ａの内部に、回転子からみて四隅に非磁性空間２を有する。この非磁性空間２の体積は回転子対向部１ａの軸方向中央部から軸方向両端部に向かって徐々に大きくなっており、回転子対向部１ａの軸方向両端部及び周方向両端部で最も大きな空間となる。これによって、回転子対向部１ａの磁性体（電磁鋼板）が多く存在する領域の形状は、回転子からみて略八角形〜六角形となる。このような構成にしたので、回転子が回転するときに、固定子鉄心１０の回転子対向部１ａが回転子磁極に対向する面積がはじめは小さく、歯部１中心に向かって回転が進むに従って徐々に面積の増加量が大きくなる。従って、ティースに急に磁束が流入することが抑制されて、巻線に生じる誘起電圧の歪みが少なくなり、トルク脈動を抑えて、振動・騒音の少ない同期電動機が得られる。
【００５２】
また、同一形状の電磁鋼板を複数枚連続して積層し、非磁性空間２の周方向長さを軸方向に対して階段状に変化させることで、非磁性空間２を構成するための電磁鋼板の種類を削減でき、金型、プレス設備の規模を縮小できる。
【００５３】
また、非磁性空間２を、軸方向に開けられる複数のスリット孔２ｂ，２ｃ，２ｄ，２ｅで構成することにより、非磁性空間２を構成するために電磁鋼板を打ち抜く穴（スリット孔）も、その数を変更することで実現できることから、規模の小さい金型、プレス設備での製造が可能である。
【００５４】
また、回転子対向部１ａの内周面（回転子と対向する面）に溝を入れないため、固定子鉄心１０の内周面を円弧で構成でき、寸法の管理も容易となる。
【００５５】
また、例えば、本実施の形態の固定子鉄心１０を備える同期電動機を、電動機本体が冷媒や冷凍機油の中で使用される圧縮機などに用いる場合、回転子と固定子との間の空隙がスロット開口部３ａ以外は均一となるため、回転子の回転による空隙間の冷媒や冷凍機油の流れに乱れが生じにくく、損失が生じにくい。
【００５６】
実施の形態２．
図１１乃至図１３は実施の形態２を示す図で、図１１は同期電動機の固定子鉄心１０の歯部１を拡大した斜視図、図１２は変形例１の固定子鉄心１０の歯部１を拡大した斜視図、図１３は変形例２の固定子鉄心１０の歯部１を拡大した斜視図である。
【００５７】
図１１により、同期電動機の固定子鉄心１０の構成を説明する。固定子鉄心１０の歯部１の回転子対向部１ａの内部には、回転子からみて二つの角（隅）に非磁性空間２を有する。これらの非磁性空間２は、対角線上に配置される。
【００５８】
この非磁性空間２は、周方向の長さが回転子対向部１ａの軸方向中央部から軸方向両端部に向かって徐々に大きくなっている。非磁性空間２の径方向の寸法は全体が略同一であるので、非磁性空間２の体積は回転子対向部１ａの軸方向中央部から軸方向両端部に向かって徐々に大きくなる。別の言い方をすると、非磁性空間２の体積は回転子対向部１ａの周方向中央部から周方向両端部に向かって徐々に大きくなる。即ち、非磁性空間２は、回転子対向部１ａの軸方向両端部及び周方向両端部で最も大きな空間となる。
【００５９】
これによって、回転子対向部１ａの磁性体（電磁鋼板）が多く存在する領域の形状は、斜めに略六角形となる。
【００６０】
同期電動機の回転子が回転するとき、回転子の磁極に対向する固定子鉄心１０の回転子対向部１ａの面積は、非磁性空間２が無い固定子鉄心１０の場合には、回転子の回転角に比例して、徐々に増加する。
【００６１】
これに対して、非磁性空間２を有する同期電動機の固定子鉄心１０では、回転子の回転角に対して、初めは回転子の磁極に対向する磁性体（電磁鋼板）が多く存在する領域の面積の増加が少なく、徐々に面積の増加が大きくなっていく。
【００６２】
固定子鉄心１０の回転子対向部１ａに非磁性空間２が無い場合、回転子の磁極より回転子対向部１ａに流入する磁束の変化は、回転子磁極の磁束分布に従って変化する。
【００６３】
例えばラジアル配向に着磁された回転子の場合、磁極間の磁束の変化は急であるため、固定子鉄心１０の回転子対向部１ａに流入する磁束の変化は、磁極の切り替わり付近で急に変化する。
【００６４】
また、永久磁石を磁性体内部に配置する回転子の場合には、永久磁石より発生する磁束は、永久磁石の外周部にある磁性体部分で向きを自由に変化するため、この磁性体部分が、回転子の回転に従って固定子鉄心１０の回転子対向部１ａに対向したと同時に、磁束が急激に回転子対向部１ａへと集中するため、固定子鉄心１０の回転子対向部１ａに流入する磁束は急激に変動する。
【００６５】
これによって、固定子の巻線に生じる誘起電圧に歪みが生じ、同期電動機のトルク脈動が大きくなり、振動・騒音の要因となる。
【００６６】
本実施の形態による同期電動機の固定子は、回転子対向部１ａの磁性体（電磁鋼板）が多い領域がちょうどスキューをかけたような形状となるため、回転子が回転するときに、回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【００６７】
また、一般的に、固定子鉄心１０の隣り合う回転子対向部１ａ間のスロット開口部３ａが大きくなると、回転子からみた外側（固定子鉄心１０側）の磁気抵抗が大きくなる空間が広がり、スロット開口部３ａと固定子鉄心１０の回転子対向部１ａとの磁気抵抗の差が大きくなり、コギングトルクが増大する。
【００６８】
例えば、固定子鉄心１０の回転子対向部１ａにおいて、軸方向端部を完全に非磁性空間とした場合、実質的なスロット開口部３ａが広くなってしまうため（軸方向端部では、スロット開口部３ａが広くなる）、前述のように誘起電圧の歪みを抑える効果は得られるものの、コギングトルクが増大してしまう。
【００６９】
これに対して、本実施の形態に示す同期電動機の固定子鉄心１０の場合、スロット開口部３ａの幅（周方向）は広がらないため、コギングトルクの増加を抑制することができる。
【００７０】
通常、固定子鉄心１０は電磁鋼板を積層して構成することが多く、図２に示す固定子鉄心１０は、回転子対向部１ａにある非磁性空間２を構成するための電磁鋼板を打ち抜く穴の形状を、積層する電磁鋼板ごとに徐々に変化させることで実現できる。
【００７１】
しかし、この場合は、打ち抜く電磁鋼板の種類が多くなるため、大規模な金型、プレス設備が必要となる。
【００７２】
これに対して、例えば、図１２に示す変形例１の同期電動機の固定子鉄心１０は、同一形状の電磁鋼板を複数枚連続して積層し、非磁性空間２の周方向長さを軸方向に対して階段状に変化させている。
【００７３】
このようにすることで、非磁性空間２を構成するための電磁鋼板（打ち抜き後）の種類を削減でき、金型、プレス設備の規模を縮小できる。
【００７４】
また、図１３に示す変形例２の固定子鉄心１０のように、非磁性空間２を、軸方向に開けられる複数のスリット孔２ｂ，２ｃ，２ｄ，２ｅで構成してもよい。スリット孔２ｂ，２ｃ，２ｄ，２ｅを、「空間」と定義する。
【００７５】
スリット孔２ｂ，２ｃ，２ｄ，２ｅは、回転子対向部１ａの周方向の中央部付近から周方向端に向かって順に形成される。軸方向の長さは、中央部付近のスリット孔２ｂが最も短く、周方向両端に向かって徐々に長くなりスリット孔２ｅが最も長くなっている。
【００７６】
このように構成することで、図１１に示す非磁性空間２に近い効果が得られる。また、非磁性空間２を構成するために電磁鋼板を打ち抜く穴（スリット孔）も、その数を変更することで実現できることから、規模の小さい金型、プレス設備での製造が可能である。
【００７７】
本実施の形態に示すように、固定子鉄心１０の歯部１の回転子対向部１ａ内部に非磁性空間２を設けると、回転子対向部１ａの軸方向端部の外観形状は、非磁性空間２のない回転子対向部１ａの場合と同様となる。そのため、固定子鉄心１０と巻線との間の絶縁として、また巻線が回転子側に倒れ込むことを防止する巻き枠として用いられる樹脂で構成されるインシュレータを特殊な形状にする必要が無い。また、インシュレータの一部をこの非磁性空間２にはめ込むことで、強度を上げることも可能である。
【００７８】
以上のように、この実施の形態によれば、固定子鉄心１０の歯部１の回転子対向部１ａの内部に、回転子からみて二つの角（隅）に対角線上に配置される非磁性空間２を有し、この非磁性空間２の体積は回転子対向部１ａの軸方向中央部から軸方向両端部に向かって徐々に大きくなる。非磁性空間２は、回転子対向部１ａの軸方向両端部及び周方向両端部で最も大きな空間となるようにすることにより、回転子対向部１ａの磁性体（電磁鋼板）が多い領域がちょうどスキューをかけたような形状となるため、回転子が回転するときに、回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【００７９】
また、スロット開口部３ａの幅（周方向）が広がらないため、コギングトルクの増加を抑制することができる。
【００８０】
また、同一形状の電磁鋼板を複数枚連続して積層し、非磁性空間２の周方向長さを軸方向に対して階段状に変化させることで、非磁性空間２を構成するための電磁鋼板（打ち抜き後）の種類を削減でき、金型、プレス設備の規模を縮小できる。
【００８１】
また、スリット孔２ｂ，２ｃ，２ｄ，２ｅを、回転子対向部１ａの周方向の中央部付近から周方向端に向かって順に形成し、軸方向の長さを、中央部付近のスリット孔２ｂが最も短く、周方向両端に向かって徐々に長くなりスリット孔２ｅが最も長くなるように構成することで、図１１に示す非磁性空間２に近い効果が得られる。また、非磁性空間２を構成するために電磁鋼板を打ち抜く穴（スリット孔）も、その数を変更することで実現できることから、規模の小さい金型、プレス設備での製造が可能である。
【００８２】
実施の形態３．
図１４乃至図１６は実施の形態３を示す図で、図１４は同期電動機の固定子鉄心１０の歯部１を拡大した斜視図、図１５は変形例１の固定子鉄心１０の歯部１を拡大した斜視図、図１６は変形例２の固定子鉄心１０の歯部１を拡大した斜視図である。
【００８３】
図１４により、同期電動機の固定子鉄心１０の構成を説明する。回転子対向部１ａの内部に、回転子からみて周方向両端で軸方向中央付近に非磁性空間２を有する。これらの非磁性空間２は、回転子対向部１ａにおいて、周方向に対称に配置される。
【００８４】
この非磁性空間２は、周方向の長さが軸方向中央部から軸方向端部に向かって徐々に小さくなっている。非磁性空間２の径方向の寸法は全体が略同一であるので、非磁性空間２の体積は回転子対向部１ａの軸方向中央部から軸方向両端部に向かって徐々に小さくなる。別の言い方をすると、非磁性空間２の体積は回転子対向部１ａの周方向中央部から周方向両端部に向かって徐々に大きくなる。即ち、非磁性空間２は、回転子対向部１ａの軸方向両端部及び周方向両端部で最も大きな空間となる。これによって、回転子対向部１ａの磁性体（電磁鋼板）が多く存在する領域の形状は、上下に略台形の領域をひっくり返して重ねたような形状となる。
【００８５】
同期電動機の回転子が回転するとき、回転子の磁極に対向する固定子鉄心１０の回転子対向部１ａの面積は、非磁性空間２が無い固定子鉄心１０の場合には、回転子の回転角に比例して、徐々に増加する。
【００８６】
これに対して、非磁性空間２を有する同期電動機の固定子鉄心１０では、回転子の回転角に対して、初めは回転子の磁極に対向する磁性体（電磁鋼板）が多く存在する領域の面積の増加が少なく、徐々に面積の増加が大きくなっていく。
【００８７】
固定子鉄心１０の回転子対向部１ａに非磁性空間２が無い場合、回転子の磁極より回転子対向部１ａに流入する磁束の変化は、回転子磁極の磁束分布に従って変化する。
【００８８】
例えばラジアル配向に着磁された回転子の場合、磁極間の磁束の変化は急であるため、固定子鉄心１０の回転子対向部１ａに流入する磁束の変化は、磁極の切り替わり付近で急に変化する。
【００８９】
また、永久磁石を磁性体内部に配置する回転子の場合には、永久磁石より発生する磁束は、永久磁石の外周部にある磁性体部分で向きを自由に変化させるため、この磁性体部分が、回転子の回転に従って固定子鉄心１０の回転子対向部１ａに対向したと同時に、磁束が急激に回転子対向部１ａへと集中するため、固定子鉄心１０の回転子対向部１ａに流入する磁束は急激に変動する。
【００９０】
これによって、固定子の巻線に生じる誘起電圧に歪みが生じ、同期電動機のトルク脈動が大きくなり、振動・騒音の要因となる。
【００９１】
本実施の形態による同期電動機の固定子は、回転子対向部１ａの磁性体が周方向端部では少ないため、回転子が回転するときに、回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【００９２】
また、一般的に、固定子鉄心１０の隣り合う回転子対向部１ａ間のスロット開口部３ａが大きくなると、回転子からみた外側（固定子鉄心１０側）の磁気抵抗が大きくなる空間が広がり、スロット開口部３ａと固定子鉄心１０の回転子対向部１ａとの磁気抵抗の差が大きくなり、コギングトルクが増大する。
【００９３】
例えば、固定子鉄心１０の回転子対向部１ａにおいて、軸方向端部を完全に非磁性空間とした場合、実質的なスロット開口部３ａが広くなってしまうため（軸方向端部では、スロット開口部３ａが広くなる）、前述のように誘起電圧の歪みを抑える効果は得られるものの、コギングトルクが増大してしまう。
【００９４】
これに対して、本実施の形態に示す同期電動機の固定子の場合、スロット開口部３ａの幅（周方向）は広がらないため、コギングトルクの増加を抑制することができる。
【００９５】
通常、固定子鉄心１０は電磁鋼板を積層して構成することが多く、図１４に示す固定子鉄心１０は、回転子対向部１ａにある非磁性空間２を構成するための電磁鋼板を打ち抜く穴の形状を、積層する電磁鋼板ごとに徐々に変化させることで実現できる。
【００９６】
しかし、この場合は、打ち抜く電磁鋼板の種類が多くなるため、大規模な金型、プレス設備が必要となる。
【００９７】
これに対して、例えば、図１５に示す変形例１の同期電動機の固定子鉄心１０は、同一形状の電磁鋼板を複数枚連続して積層し、非磁性空間２の周方向長さを軸方向に対して階段状に変化させている。
【００９８】
このようにすることで、非磁性空間２を構成するための電磁鋼板の種類を削減でき、金型、プレス設備の規模を縮小できる。
【００９９】
また、図１６に示す変形例２の同期電動機の固定子鉄心１０のように、非磁性空間２を、軸方向に開けられる複数のスリット孔２ｂ，２ｃ，２ｄ，２ｅで構成してもよい。スリット孔２ｂ，２ｃ，２ｄ，２ｅを、「空間」と定義する。
【０１００】
スリット孔２ｂ，２ｃ，２ｄ，２ｅは、回転子対向部１ａの周方向の中央部付近から周方向両端に向かって順に形成される。軸方向の長さは、中央部付近のスリット孔２ｂが最も短く、周方向両端に向かって徐々に長くなりスリット孔２ｅが最も長くなっている。
【０１０１】
このように構成することで、図１４に示す非磁性空間２に近い効果が得られる。また、非磁性空間を構成するために電磁鋼板を打ち抜く穴（スリット孔）も、その数を変更することで実現できることから、規模の小さい金型、プレス設備での製造が可能である。
【０１０２】
本実施の形態に示すように、固定子鉄心１０の回転子対向部１ａ内部で軸方向の中央付近に非磁性空間２を設けると、固定子鉄心１０回転子対向部１ａの軸方向端部に磁性体（電磁鋼板）が存在するため強度が高くなり、製造時や運搬時に鉄心の変形を防止できる。
【０１０３】
また、本実施の形態に示すように、固定子鉄心１０の歯部１の回転子対向部１ａ内部に非磁性空間２を設けると、回転子対向部１ａの軸方向端部の外観形状は、非磁性空間２のない回転子対向部１ａの場合と同様となる。そのため、固定子鉄心１０と巻線との間の絶縁として、また巻線が回転子側に倒れ込むことを防止する巻き枠として用いられる樹脂で構成されるインシュレータを特殊な形状にする必要が無い。
【０１０４】
以上のように、この実施の形態によれば、固定子鉄心１０の歯部１の回転子対向部１ａの内部に、回転子からみて周方向両端で軸方向中央付近に周方向に対称に配置される非磁性空間２を有し、この非磁性空間２の体積は回転子対向部１ａの軸方向中央部から軸方向両端部に向かって徐々に小さくなる。非磁性空間２は、回転子対向部１ａの軸方向両端部及び周方向両端部で最も大きな空間となるようにすることにより、回転子対向部１ａの磁性体が周方向端部では少ないため、回転子が回転するときに、回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【０１０５】
また、スロット開口部３ａの幅（周方向）は広がらないため、コギングトルクの増加を抑制することができる。
【０１０６】
また、同一形状の電磁鋼板を複数枚連続して積層し、非磁性空間２の周方向長さを軸方向に対して階段状に変化ることで、非磁性空間２を構成するための電磁鋼板の種類を削減でき、金型、プレス設備の規模を縮小できる。
【０１０７】
また、スリット孔２ｂ，２ｃ，２ｄ，２ｅを、回転子対向部１ａの周方向の中央部付近から周方向両端に向かって順に形成し、軸方向の長さを、中央部付近のスリット孔２ｂが最も短く、周方向両端に向かって徐々に長くなりスリット孔２ｅが最も長くなるように構成することで、図１４に示す非磁性空間２に近い効果が得られる。また、非磁性空間を構成するために電磁鋼板を打ち抜く穴（スリット孔）も、その数を変更することで実現できることから、規模の小さい金型、プレス設備での製造が可能である。
【０１０８】
また、固定子鉄心１０の回転子対向部１ａ内部で軸方向の中央付近に非磁性空間２を設けると、固定子鉄心１０回転子対向部１ａの軸方向端部に磁性体（電磁鋼板）が存在するため強度が高くなり、製造時や運搬時に鉄心の変形を防止できる。
【０１０９】
また、固定子鉄心１０の歯部１の回転子対向部１ａ内部に非磁性空間２を設けると、回転子対向部１ａの軸方向端部の外観形状は、非磁性空間２のない回転子対向部１ａの場合と同様となるため、固定子鉄心１０と巻線との間の絶縁として、また巻線が回転子側に倒れ込むことを防止する巻き枠として用いられる樹脂で構成されるインシュレータを特殊な形状にする必要が無い。
【０１１０】
実施の形態４．
図１７乃至図１９は実施の形態４を示す図で、図１７は同期電動機の固定子鉄心１０の歯部１を拡大した斜視図、図１８は変形例１の固定子鉄心１０の歯部１を拡大した斜視図、図１９は変形例２の固定子鉄心１０の歯部１を拡大した斜視図である。
【０１１１】
図１７により、同期電動機の固定子鉄心１０の構成を説明する。回転子対向部１ａの内部に、回転子からみて、二つの角（隅）に略直角三角形の非磁性空間２を有する。二つの非磁性空間２が回転子対向部１ａの略中央部を中心に点対称に配置される。二つの略直角三角形の長辺が、回転子対向部１ａの略対角線上にある配置である。
【０１１２】
この非磁性空間２は、回転子対向部１ａの軸方向中央部で最も大きく、軸方向端部に向かってそれぞれ徐々に小さくなっている。これによって、回転子対向部１ａの磁性体（電磁鋼板）が多く存在する領域の形状は、長方形の１辺を切り欠いたものをひっくり返して重ねた様な形状となる。
【０１１３】
同期電動機の回転子が回転するとき、回転子の磁極に対向する固定子鉄心１０の回転子対向部１ａの面積は、非磁性空間２が無い固定子鉄心１０の場合には、回転子の回転角に比例して、徐々に増加する。
【０１１４】
これに対して、非磁性空間２を有する同期電動機の固定子鉄心１０では、回転子の回転角に対して、初めは回転子の磁極に対向する磁性体が多く存在する領域の面積の増加が少なく、徐々に面積の増加が大きくなっていく。
【０１１５】
固定子鉄心１０の回転子対向部１ａに非磁性空間２が無い場合、回転子の磁極より回転子対向部１ａに流入する磁束の変化は、回転子磁極の磁束分布に従って変化する。
【０１１６】
例えばラジアル配向に着磁された回転子の場合、磁極間の磁束の変化は急であるため、固定子鉄心１０の回転子対向部１ａに流入する磁束の変化は、磁極の切り替わり付近で急に変化する。
【０１１７】
また、永久磁石を磁性体内部に配置する回転子の場合には、永久磁石より発生する磁束は、永久磁石の外周部にある磁性体部分で向きを自由に変化させるため、この磁性体部分が、回転子の回転に従って固定子鉄心１０の回転子対向部１ａに対向したと同時に、磁束が急激に回転子対向部１ａへと集中するため、固定子鉄心１０の回転子対向部１ａに流入する磁束は急激に変動する。
【０１１８】
これによって、固定子の巻線に生じる誘起電圧に歪みが生じ、同期電動機のトルク脈動が大きくなり、振動・騒音の要因となる。
【０１１９】
本実施の形態による同期電動機の固定子は、回転子対向部１ａの磁性体（電磁鋼板）が多い領域がちょうどスキューをかけたような形状となるため、回転子が回転するときに、回転子対向部１ａが回転子磁極に対向する面積がはじめは小さく、歯部１中心に向かって回転が進むに従って徐々に面積の増加量が大きくなる。従って、歯部１に急に磁束が流入することが抑制されて、巻線に生じる誘起電圧の歪みが少なくなり、トルク脈動を抑えて、振動・騒音の少ない同期電動機が得られる。
【０１２０】
また、一般的に、固定子鉄心１０の隣り合う回転子対向部１ａ間のスロット開口部３ａが大きくなると、回転子からみた外側（固定子鉄心１０側）の磁気抵抗が大きくなる空間が広がり、スロット開口部３ａと固定子鉄心１０の回転子対向部１ａとの磁気抵抗の差が大きくなり、コギングトルクが増大する。
【０１２１】
例えば、固定子鉄心１０の回転子対向部１ａにおいて、軸方向端部を完全に非磁性空間とした場合、実質的なスロット開口部３ａが広くなってしまうため（軸方向端部では、スロット開口部３ａが広くなる）、前述のように誘起電圧の歪みを抑える効果は得られるものの、コギングトルクが増大してしまう。
【０１２２】
これに対して、本実施の形態に示す同期電動機の固定子鉄心１０の場合、スロット開口部３ａの幅は広がらないため、コギングトルクの増加を抑制することができる。
【０１２３】
通常、固定子鉄心１０は電磁鋼板を積層して構成することが多く、図１７に示す固定子鉄心１０は、回転子対向部１ａにある非磁性空間２を構成するための電磁鋼板を打ち抜く穴の形状を、積層する電磁鋼板ごとに徐々に変化させることで実現できる。
【０１２４】
しかし、この場合は、打ち抜く電磁鋼板の種類が多くなるため、大規模な金型、プレス設備が必要となる。
【０１２５】
これに対して、例えば、図１８に示す変形例１の同期電動機の固定子鉄心１０は、同一形状の電磁鋼板を複数枚連続して積層し、非磁性空間２の周方向長さを軸方向に対して階段状に変化させている。
【０１２６】
このようにすることで、非磁性空間２を構成するための電磁鋼板の種類を削減でき、金型、プレス設備の規模を縮小できる。
【０１２７】
また、図１９に示す変形例２の同期電動機の固定子鉄心１０のように、非磁性空間２を、軸方向に開けられる複数のスリット孔２ｂ，２ｃ，２ｄ，２ｅで構成してもよい。スリット孔２ｂ，２ｃ，２ｄ，２ｅを、「空間」と定義する。
【０１２８】
スリット孔２ｂ，２ｃ，２ｄ，２ｅは、回転子対向部１ａの周方向の中央部付近から周方向端に向かって順に形成される。軸方向の長さは、中央部付近のスリット孔２ｂが最も短く、周方向両端に向かって徐々に長くなりスリット孔２ｅが最も長くなっている。
【０１２９】
このように構成することで、図１７に示す非磁性空間２に近い効果が得られる。また、非磁性空間２を構成するために電磁鋼板を打ち抜く穴（スリット孔）も、その数を変更することで実現できることから、規模の小さい金型、プレス設備での製造が可能である。
【０１３０】
本実施の形態に示すように、固定子鉄心１０の回転子対向部１ａ内部に、回転子対向部１ａの軸方向中央部で最も大きく軸方向端部に向かってそれぞれ徐々に小さくなる非磁性空間を設けると、回転子対向部１ａの端部に磁性体が存在するため強度が高くなり、製造時や運搬時に固定子鉄心１０の変形を防止できる。
【０１３１】
また、回転子対向部１ａの軸方向端部の外観形状は、非磁性空間２のない回転子対向部１ａの場合と同様となる。そのため、固定子鉄心１０と巻線との間の絶縁として、また巻線が回転子側に倒れ込むことを防止する巻き枠として用いられる樹脂で構成されるインシュレータを特殊な形状にする必要が無い。また、インシュレータの一部をこの非磁性空間２にはめ込むことで、強度を上げることも可能である。
【０１３２】
以上のように、この実施の形態によれば、固定子鉄心１０の回転子対向部１ａの磁性体（電磁鋼板）が多い領域がちょうどスキューをかけたような形状となるため、回転子が回転するときに、回転子対向部１ａが回転子磁極に対向する面積がはじめは小さく、歯部１中心に向かって回転が進むに従って徐々に面積の増加量が大きくなるため、歯部１に急に磁束が流入することが抑制されて、巻線に生じる誘起電圧の歪みが少なくなり、トルク脈動を抑えて、振動・騒音の少ない同期電動機が得られる。
【０１３３】
また、スロット開口部３ａの幅は広がらないため、コギングトルクの増加を抑制することができる。
【０１３４】
また、同一形状の電磁鋼板を複数枚連続して積層し、非磁性空間２の周方向長さを軸方向に対して階段状に変化させることで、非磁性空間２を構成するための電磁鋼板の種類を削減でき、金型、プレス設備の規模を縮小できる。
【０１３５】
また、スリット孔２ｂ，２ｃ，２ｄ，２ｅを、回転子対向部１ａの周方向の中央部付近から周方向両端に向かって順に形成し、軸方向の長さを、中央部付近のスリット孔２ｂが最も短く、周方向両端に向かって徐々に長くなりスリット孔２ｅが最も長くなるように構成することで、図１７に示す非磁性空間２に近い効果が得られる。また、非磁性空間２を構成するために電磁鋼板を打ち抜く穴（スリット孔）も、その数を変更することで実現できることから、規模の小さい金型、プレス設備での製造が可能である。
【０１３６】
また、固定子鉄心１０の回転子対向部１ａ内部に、回転子対向部１ａの軸方向中央部で最も大きく軸方向端部に向かってそれぞれ徐々に小さくなる非磁性空間を設けると、回転子対向部１ａの端部に磁性体が存在するため強度が高くなり、製造時や運搬時に固定子鉄心１０の変形を防止できる。
【０１３７】
また、回転子対向部１ａの軸方向端部の外観形状は、非磁性空間２のない回転子対向部１ａの場合と同様となるため、固定子鉄心１０と巻線との間の絶縁として、また巻線が回転子側に倒れ込むことを防止する巻き枠として用いられる樹脂で構成されるインシュレータを特殊な形状にする必要が無い。また、インシュレータの一部をこの非磁性空間２にはめ込むことで、強度を上げることも可能である。
【産業上の利用可能性】
【０１３８】
本発明の活用例として、空気調和機に搭載される圧縮機に用いられる同期電動機の固定子への適用が可能である。
【図面の簡単な説明】
【０１３９】
【図１】実施の形態１を示す図で、同期電動機の固定子鉄心１０の斜視図。
【図２】実施の形態１を示す図で、図１の歯部１を拡大した斜視図。
【図３】実施の形態１を示す図で、図１の歯部１の回転子対向部１ａを拡大した斜視図（ａ）とＡ〜Ｅ部の断面図（ｂ）。
【図４】実施の形態１を示す図で、変形例１の固定子鉄心１０の歯部１を拡大した斜視図。
【図５】実施の形態１を示す図で、図４の回転子対向部１ａを拡大した斜視図。
【図６】実施の形態１を示す図で、変形例２の固定子鉄心１０の歯部１を拡大した斜視図。
【図７】実施の形態１を示す図で、図６の歯部１の回転子対向部１ａを拡大した斜視図（ａ）とＡ〜Ｅ部の断面図（ｂ）。
【図８】実施の形態１を示す図で、図４に示す固定子鉄心１０を用いた同期電動機の誘起電圧を示す図。
【図９】実施の形態１を示す図で、同固定子鉄心１０を用いた同期電動機のコギングトルクを示す図。
【図１０】実施の形態１を示す図で、は誘起電圧の周波数成分分析の結果を示す図同期電動機の固定子の斜視図。
【図１１】実施の形態２を示す図で、同期電動機の固定子鉄心１０の歯部１を拡大した斜視図。
【図１２】実施の形態２を示す図で、変形例１の固定子鉄心１０の歯部１を拡大した斜視図。
【図１３】実施の形態２を示す図で、変形例２の固定子鉄心１０の歯部１を拡大した斜視図。
【図１４】実施の形態３を示す図で、同期電動機の固定子鉄心１０の歯部１を拡大した斜視図。
【図１５】実施の形態３を示す図で、変形例１の固定子鉄心１０の歯部１を拡大した斜視図。
【図１６】実施の形態３を示す図で、変形例２の固定子鉄心１０の歯部１を拡大した斜視図。
【図１７】実施の形態４を示す図で、同期電動機の固定子鉄心１０の歯部１を拡大した斜視図。
【図１８】実施の形態４を示す図で、変形例１の固定子鉄心１０の歯部１を拡大した斜視図。
【図１９】実施の形態４を示す図で、変形例２の固定子鉄心１０の歯部１を拡大した斜視図。
【符号の説明】
【０１４０】
１  歯部、１ａ  回転子対向部、２  非磁性空間、２ａ  穴、２ｂ  スリット孔、２ｃ  スリット孔、２ｄ  スリット孔、２ｅ  スリット孔、３  スロット、３ａ  スロット開口部、１０  固定子鉄心。
【図１】
2010068595.tif 000003
【図２】
2010068595.tif 000004
【図３】
2010068595.tif 000005
【図４】
2010068595.tif 000006
【図５】
2010068595.tif 000007
【図６】
2010068595.tif 000008
【図７】
2010068595.tif 000009
【図８】
2010068595.tif 000010
【図９】
2010068595.tif 000011
【図１０】
2010068595.tif 000012
【図１１】
2010068595.tif 000013
【図１２】
2010068595.tif 000014
【図１３】
2010068595.tif 000015
【図１４】
2010068595.tif 000016
【図１５】
2010068595.tif 000017
【図１６】
2010068595.tif 000018
【図１７】
2010068595.tif 000019
【図１８】
2010068595.tif 000020
【図１９】
2010068595.tif 000021